(57)【要約】【課題】太陽熱利用に伴う逆放熱の発生をなくし、深夜電力の無駄な消費を防ぐと共に、太陽熱を有効に利用することができる、深夜電力及び太陽熱併用の給湯システムを提供する。【解決手段】貯湯槽が、深夜電力でお湯が沸かされる深夜電力貯湯槽１と、太陽熱でお湯が沸かされる太陽熱貯湯槽２とに分割され、設定温度のお湯が、深夜電力貯湯槽１内の沸かされたお湯と太陽熱貯湯槽２内の沸かされたお湯とを利用して形成されるようになされている。利用の態様は、例えば、深夜電力貯湯槽１で沸かされたお湯と太陽熱貯湯槽２で沸かされたお湯とを、貯湯槽１，２の外で第１混合弁５により混合することなどである。【選択図】      図１
2007132554.tif 000002
【特許請求の範囲】
【請求項１】
貯湯槽が、深夜電力でお湯が沸かされる深夜電力貯湯槽と、太陽熱でお湯が沸かされる太陽熱貯湯槽とに分割され、
設定温度のお湯が、深夜電力貯湯槽内の沸かされたお湯と太陽熱貯湯槽内の沸かされたお湯とを利用して形成されるようになされていることを特徴とする、深夜電力及び太陽熱併用の給湯システム。
【請求項２】
深夜電力貯湯槽で沸かされたお湯と太陽熱貯湯槽で沸かされたお湯とが貯湯槽の外で混合される利用態様によって、設定温度のお湯が形成されるようになされている請求項１に記載の、深夜電力及び太陽熱併用の給湯システム。
【請求項３】
太陽熱貯湯槽で沸かされたお湯が深夜電力貯湯槽内に給水として供給され、該お湯が深夜電力貯湯槽内で深夜電力により沸かされる利用態様によって、設定温度のお湯が形成されるようになされている請求項１に記載の、深夜電力及び太陽熱併用の給湯システム。
【発明の詳細な説明】
【技術分野】
【０００１】
本発明は、深夜電力及び太陽熱併用の給湯システムに関する。
【背景技術】
【０００２】
深夜電力及び太陽熱併用の給湯システムとして、図４に示すように、一つの貯湯槽５１に、太陽熱利用の熱交換部５２と、深夜電力利用の熱交換部５３とを設け、深夜電力と太陽熱を併用して貯湯槽５１内の水を沸かすようにした給湯システムが考えられる。なお、５４は太陽熱集熱部、５５は電気ヒーター等の熱源、５６は混合弁であり、混合弁５６は、貯湯槽５１で沸かされたお湯を水道水と混合し、設定温度のお湯を形成するものである。
【発明の開示】
【発明が解決しようとする課題】
【０００３】
しかしながら、上記の給湯システムでは、日射量が少なく、太陽熱利用の熱交換部５２の温度が、貯湯槽５１で深夜電力利用の熱交換部５３によって沸かし上げられたお湯の温度よりも低いと、太陽熱利用の熱交換部５２によって逆放熱が起ってしまい、貯湯槽５１内のお湯の温度を低下させ、深夜電力を無駄に消費させてしまうと共に、太陽熱の利用を妨げてしまうことがある。
【０００４】
本発明は、上記のような問題点に鑑み、太陽熱利用に伴う逆放熱の発生をなくし、深夜電力の無駄な消費を防ぐと共に、太陽熱を有効に利用することができる、深夜電力及び太陽熱併用の給湯システムを提供することを課題とする。
【課題を解決するための手段】
【０００５】
上記の課題は、貯湯槽が、深夜電力でお湯が沸かされる深夜電力貯湯槽と、太陽熱でお湯が沸かされる太陽熱貯湯槽とに分割され、
設定温度のお湯が、深夜電力貯湯槽内の沸かされたお湯と太陽熱貯湯槽内の沸かされたお湯とを利用して形成されるようになされていることを特徴とする、深夜電力及び太陽熱併用の給湯システムによって解決される。
【０００６】
このシステムでは、貯湯槽が、深夜電力でお湯が沸かされる深夜電力貯湯槽と、太陽熱でお湯が沸かされる太陽熱貯湯槽とに分割されているので、深夜電力貯湯槽で沸かされたお湯が、太陽熱利用による逆放熱によって冷まされてしまうということがなくなり、深夜電力の無駄な消費を防ぐことができ、また、太陽熱を有効に利用することができる。
【０００７】
上記のシステムにおいて、深夜電力貯湯槽で沸かされたお湯と太陽熱貯湯槽で沸かされたお湯とが貯湯槽の外で混合される利用態様によって、設定温度のお湯が形成されるようになされているとよい。
【０００８】
この場合は、設定温度のお湯を、太陽熱貯湯槽内の沸かされたお湯の利用によって、深夜電力貯湯槽内で沸かされたお湯の使用量を少なく抑えながら形成することができ、深夜電力の消費を低く抑えることができると共に、太陽熱を有効に利用することができる。
【０００９】
また、上記のシステムにおいて、太陽熱貯湯槽で沸かされたお湯が深夜電力貯湯槽内に給水として供給され、該お湯が深夜電力貯湯槽内で深夜電力により沸かされる利用態様によって、設定温度のお湯が形成されるようになされているのもよい。
【００１０】
この場合は、太陽熱貯湯槽で沸かされたお湯が深夜電力貯湯槽内に給水として供給されることで、深夜電力貯湯槽内で、お湯を深夜電力の消費少なく沸かし上げることができ、深夜電力の消費を低く抑えることができると共に、太陽熱を有効に利用することができる。
【発明の効果】
【００１１】
本発明の深夜電力及び太陽熱併用の給湯システムは、以上のとおりのものであるから、太陽熱利用に伴う逆放熱の発生をなくし、深夜電力の無駄な消費を防ぐと共に、太陽熱を有効に利用することができる。
【発明を実施するための最良の形態】
【００１２】
次に、本発明の実施最良形態を図面に基づいて説明する。
【００１３】
図１に示す第１実施形態の深夜電力及び太陽熱併用の給湯システムにおいて、貯湯槽は、深夜電力でお湯が沸かされる深夜電力貯湯槽１と、太陽熱でお湯が沸かされる太陽熱貯湯槽２とに分割されており、深夜電力貯湯槽１からの給湯管３と、太陽熱貯湯槽２からの給湯管４とが第１混合弁５に接続され、該第１混合弁５で、深夜電力貯湯槽１で沸かされたお湯と太陽熱貯湯槽２で沸かされたお湯とが混合されて第１給湯管６に混合湯が送り出され、該第１給湯管６は、水道管７を接続した第２混合弁８に接続され、第１給湯管６の混合湯と、水道管７からの水道水とが必要に応じて混合されることで、設定温度のお湯が形成されるようになされている。なお、こうして形成された設定温度のお湯は、必要に応じて水道水と混合され、利用側において、利用温度の温水として供給されるようになされている。
【００１４】
なお、太陽熱貯湯槽２に給水された水は、太陽熱集熱部９とポンプ１０と熱交換部１１とが介設された水循環回路１２の熱交換器１１が太陽熱貯湯槽２内に設置されていることで該熱交換部１１によって沸かされるようになされている。１５は逆止弁である。また、深夜電力貯湯槽１に給水された水は、深夜電力貯湯槽１内に設置された熱交換部１３がヒーター等の熱源１４で加熱されることにより沸かされるようになされている。
【００１５】
このシステムでのお湯の形成の具体例を示すと、図２（イ）に示すように、例えば、設定温度が６０°Ｃのお湯を形成する場合に、深夜電力貯湯槽１内のお湯が深夜電力により８５°Ｃに沸かし上げられ、太陽熱貯湯槽２内のお湯が太陽熱により６５°Ｃに沸かされているときは、深夜電力貯湯槽１内のお湯と太陽熱貯湯槽２内のお湯とが第１混合弁５で混合されて７５°Ｃのお湯が形成され、このお湯が第２混合弁８で１０°Ｃの水道水と混合されることにより、設定温度である６０°Ｃのお湯が形成される。なお、このお湯は、例えば、利用側で水道水と混合されて４０°Ｃの温水として利用される。
【００１６】
そして、日射量が少なく、図２（ロ）に示すように、太陽熱貯湯槽２内のお湯が太陽熱により３５°Ｃにしか沸かされていないときは、深夜電力貯湯槽１内のお湯と太陽熱貯湯槽２内のお湯とが第１混合弁５で混合されて６０°Ｃのお湯が形成され、このお湯が第２混合弁８で水道水と混合されることなく、設定温度である６０°Ｃのお湯が形成される。
【００１７】
上記のシステムでは、貯湯槽が、深夜電力貯湯槽１と太陽熱貯湯槽２とに分割されているので、深夜電力貯湯槽１で沸かされたお湯が、太陽熱利用による逆放熱によって冷まされてしまうということがなくなり、深夜電力の無駄な消費を防ぐことができ、また、逆放熱がなくなることで、太陽熱を最大限有効に利用することができる。
【００１８】
しかも、設定温度のお湯を、深夜電力貯湯槽１で沸かされたお湯と太陽熱貯湯槽２で沸かされたお湯とを第１混合弁５で混合し、必要に応じて第２混合弁８で水道水と混合することにより形成するようにしているので、設定温度のお湯を、太陽熱貯湯槽２内の沸かされたお湯の利用によって、深夜電力貯湯槽１内で沸かされたお湯の使用量を少なく抑えながら形成することができ、深夜電力の消費を低く抑えることができると共に、太陽熱を有効に利用することができる。
【００１９】
図３に示す第２実施形態の深夜電力及び太陽熱併用の給湯システムは、太陽熱貯湯槽２からの給湯管４が、深夜電力貯湯槽１の給水部に接続されると共に、深夜電力貯湯槽１の給湯管３が、水道管７を接続した混合弁１６に接続され、給湯管３の湯と水道管７からの水道水とが混合弁１６で必要に応じて混合されることにより、設定温度のお湯が形成されるようになされている。
【００２０】
このシステムでのお湯の形成の具体例を示すと、例えば、設定温度が６０°Ｃのお湯を形成する場合に、深夜電力貯湯槽１内のお湯が深夜電力により８５°Ｃに沸かし上げられ、太陽熱貯湯槽２内のお湯が太陽熱により５０°Ｃに沸かされているときは、深夜電力貯湯槽１内のお湯と１０°Ｃの水道水が混合弁１６で混合されることにより、設定温度である６０°Ｃのお湯が形成される。そして、太陽熱貯湯槽２内のお湯は、深夜電力貯湯槽１内からのお湯の給湯によって深夜電力貯湯槽１の給水部から給水され、深夜電力貯湯槽１内で、お湯を深夜電力の消費少なく沸かし上げることができ、深夜電力の消費を低く抑えることができると共に、太陽熱を有効に利用することができる。
【００２１】
もちろん、貯湯槽が、深夜電力貯湯槽１と太陽熱貯湯槽２とに分割されていることで、深夜電力貯湯槽１で沸かされたお湯が、太陽熱利用による逆放熱によって冷まされてしまうということもなく、深夜電力の無駄な消費を防ぐことができ、また、逆放熱がなくされることにより、太陽熱を最大限有効に利用することができる。
【００２２】
なお、日射量が少ないときでも、一日に使用する設定温度の湯量を確保できるようにするため、深夜電力貯湯槽１の容量は、第１実施形態のシステムの深夜電力貯湯槽に比べて大きくしておくとよい。
【００２３】
以上に、本発明の実施形態を示したが、本発明はこれに限られるものではなく、発明思想を逸脱しない範囲で各種の変更が可能である。例えば、上記の実施形態では、湯同士の混合及び湯と水道水の混合を３ポートの混合弁を用いて行うようにした場合を示したが、その他の混合方法により混合するようにしてもよい。
【図面の簡単な説明】
【００２４】
【図１】第１実施形態の給湯システムを示す説明図である。
【図２】図（イ）及び図（ロ）はそれぞれ、設定温度のお湯の形成のされ方の具体例を示す説明図である。
【図３】第２実施形態の給湯システムを示す説明図である。
【図４】給湯システムの関連技術を示す説明図である。
【符号の説明】
【００２５】
１…深夜電力貯湯槽
２…太陽熱貯湯槽
５…第１混合弁
８…第２混合弁
１１…熱交換部
１３…熱交換部
【図１】
2007132554.tif 000003
【図２】
2007132554.tif 000004
【図３】
2007132554.tif 000005
【図４】
2007132554.tif 000006